(57)【要約】【課題】複雑に屈曲した管路に対して好適な管内移動体、内視鏡用移動装置、並びに内視鏡を提供する。【解決手段】電子内視鏡２の挿入部１０に取り付けられたバルーン１４の表面には、挿入部１０の周方向に関して等間隔に、四本の電気抵抗体２２が取り付けられている。コントローラ１８は、電気抵抗体２２の抵抗値からバルーン１４の膨張状態を把握し、これを元にバルーン１４が内壁面３０ａから受ける反力を検出し、管路３０の屈曲状態を検出する。電気抵抗体２２の抵抗値が四本とも略同じ値である場合、管路３０が略直線状であることが検出される。ある方向の電気抵抗体２２の抵抗値が高く、ある方向と反対側の電気抵抗体２２の抵抗値が低い場合は、電気抵抗体２２の抵抗値が低い方向からバルーン１４は大きな反力を受け、ある方向に管路３０が屈曲していることが検出される。【選択図】図３
2008043670.tif 000002
【特許請求の範囲】
【請求項１】
流体圧により膨張収縮するバルーンが取り付けられ、管路内に挿入される管内移動体であって、
前記バルーンを膨張させたときに、前記管路の内壁面から前記バルーンが受ける反力を検出する反力検出手段を備えることを特徴とする管内移動体。
【請求項２】
前記反力検出手段は、前記バルーンの膨張状態を把握することで、前記反力を検出することを特徴とする請求項１に記載の管内移動体。
【請求項３】
前記反力検出手段は、前記バルーンの表面に取り付けられた電気抵抗体、
および前記電気抵抗体の抵抗値を測定する抵抗測定器であることを特徴とする請求項１または２に記載の管内移動体。
【請求項４】
前記バルーンは、周方向に複数取り付けられており、
前記反力検出手段は、各バルーンに一定量の流体を供給した際に、各バルーンの内圧を測定する圧力センサであることを特徴とする請求項１または２に記載の管内移動体。
【請求項５】
前記各バルーンへの流体の出入りを制御するマイクロポンプを有することを特徴とする請求項４に記載の管内移動体。
【請求項６】
前記バルーンは、進行方向の後方に膨張し、前記管路の内壁面と接触してさらに膨張した際に、前記管路の内壁面を介して前記進行方向に駆動力を発生することを特徴とする請求項１ないし５のいずれかに記載の管内移動体。
【請求項７】
前記反力検出手段の検出結果に応じて、前記管路の屈曲方向に先端部が向くように、前記バルーンを膨張収縮させることを特徴とする請求項６に記載の管内移動体。
【請求項８】
請求項１ないし７のいずれかに記載の管内移動体からなることを特徴とする内視鏡用移動装置。
【請求項９】
被検体内に挿入される内視鏡であって、
請求項１ないし７のいずれかに記載の管内移動体が設けられていることを特徴とする内視鏡。
【発明の詳細な説明】
【技術分野】
【０００１】
本発明は、複雑に屈曲した管路に対して好適な管内移動体、内視鏡用移動装置、並びに内視鏡に関する。
【背景技術】
【０００２】
従来から、医療分野において、例えば、大腸や小腸のように複雑に屈曲した管路内に内視鏡を挿入して、管路内壁面の観察や診断、治療を施すことが行われている。この場合、管路が細く複雑に屈曲しているために、体腔外で内視鏡の挿入部を押し進めても挿入抵抗が大きく、観察したい部位まで先端部を到達させるためには、手技に熟練度が要求されていた。また、挿入に手間取ると患者への負担が大きくなり、場合によっては誤って管路を傷付けるおそれがあった。
【０００３】
ところで、内視鏡の挿入部には、ワイヤの押し引きによって先端部を所望の向きに向ける湾曲部が設けられている（特許文献１、および２参照）。このため、従来は、湾曲部を管路の屈曲した方向に向けて挿入部を押し進める操作を行って、観察したい部位まで先端部を到達させていた。この挿入操作は、内視鏡先端部に配された撮像素子により取得される画像で管路の屈曲状態を観察しながら行うが、体腔内の奥部の屈曲部に挿入する際には、湾曲部を管路の屈曲した方向に向けても、先端部を屈曲部にスムーズに挿入することが難しく、挿入部が体腔内壁を圧迫して、患者に苦痛や不快感を与えることがあり、この方法も手技に熟練度が要求される。
【０００４】
そこで、複雑に屈曲した管路内に内視鏡の挿入部を円滑に挿入することができるように、内腔の自然な向きをカメラなどで感知し、感知した自然な向きに挿入部を向けるように電気制御することが可能な複数のアクチュエータを備える自動操縦内視鏡が提案されている（特許文献３参照）。
【特許文献１】特開平１０−２４８７９６号公報
【特許文献２】特開２０００−１２６１２０号公報
【特許文献３】特表２００５−５２７２５３号公報
【発明の開示】
【発明が解決しようとする課題】
【０００５】
しかしながら、特許文献３に記載の発明では、内腔の自然な向きを感知するためにカメラなどを用いているため、装置構成が複雑になる、部品コストが嵩むなどの問題があった。また、体腔内の奥部の屈曲部に挿入する際に、挿入部が体腔内壁を圧迫して患者に苦痛を与えるという問題に関して何の対策もなされておらず、体腔内壁が過大な力を加えられても操作者が気付かないという問題があった。
【０００６】
本発明は、上記課題を鑑みてなされたものであり、簡単な構成で、複雑に屈曲した管路内により円滑に挿入することが可能な管内移動体を提供することを目的とする。
【０００７】
また、本発明は、複雑に屈曲した管路内を観察する際に、手技に熟練度を必要とせず、患者への負担を減らすことが可能な内視鏡用移動装置、並びに内視鏡を提供することを目的とする。
【課題を解決するための手段】
【０００８】
上記目的を達成するために、請求項１に記載の発明は、流体圧により膨張収縮するバルーンが取り付けられ、管路内に挿入される管内移動体であって、前記バルーンを膨張させたときに、前記管路の内壁面から前記バルーンが受ける反力を検出する反力検出手段を備えることを特徴とする。
【０００９】
前記反力検出手段は、前記バルーンの膨張状態を把握することで、前記反力を検出することが好ましい。
【００１０】
前記反力検出手段は、前記バルーンの表面に取り付けられた電気抵抗体、および前記電気抵抗体の抵抗値を測定する抵抗測定器であることが好ましい。
【００１１】
前記バルーンは、周方向に複数取り付けられており、前記反力検出手段は、各バルーンに一定量の流体を供給した際に、各バルーンの内圧を測定する圧力センサであることが好ましい。この場合、前記各バルーンへの流体の出入りを制御するマイクロポンプを有することが好ましい。
【００１２】
前記バルーンは、進行方向の後方に膨張し、前記管路の内壁面と接触してさらに膨張した際に、前記管路の内壁面を介して前記進行方向に駆動力を発生することが好ましい。この場合、前記反力検出手段の検出結果に応じて、前記管路の屈曲方向に先端部が向くように、前記バルーンを膨張収縮させることが好ましい。
【００１３】
請求項８に記載の発明は、内視鏡用移動装置であって、請求項１ないし７のいずれかに記載の管内移動体からなることを特徴とする。
【００１４】
請求項９に記載の発明は、被検体内に挿入される内視鏡であって、請求項１ないし７のいずれかに記載の管内移動体が設けられていることを特徴とする。
【発明の効果】
【００１５】
本発明の管内移動体によれば、バルーンを膨張させたときに、管路の内壁面からバルーンが受ける反力を検出する反力検出手段を備えるので、簡単な構成で管路の屈曲状態を検出することができる。したがって、複雑に屈曲した管路内により円滑に挿入、移動することが可能となる。
【００１６】
また、本発明の内視鏡用移動装置、並びに内視鏡によれば、請求項１ないし７のいずれかに記載の管内移動体からなる、あるいは、請求項１ないし７のいずれかに記載の管内移動体が設けられているので、複雑に屈曲した管路内を移動する際に、手技に熟練度を必要とせず、また、体腔内壁から受ける反力を検出するので、体腔内壁が過大な力を加えられたときに適切な処置を施すことができ、患者への負担を減らすことが可能となる。
【発明を実施するための最良の形態】
【００１７】
図１において、電子内視鏡２は、被検体内に挿入される挿入部１０と、挿入部１０の基端部分に連設された操作部１１とを備えている。挿入部１０の先端に連設された先端部１０ａ（例えば、外径１２ｍｍφ）には、被検体内の被観察部位の像光を取り込むための対物レンズと像光を撮像する撮像素子（いずれも図示せず）が内蔵されている。撮像素子により取得された被検体内の画像は、コード１２に接続されたプロセッサ装置のモニタ（いずれも図示せず）に内視鏡画像として表示される。
【００１８】
また、先端部１０ａには、被観察部位に光源装置（図示せず）からの照明光を照射するための照明窓や、鉗子口１３と連通した鉗子出口、送気・送水ボタン１１ａを操作することによって、対物レンズを保護する観察窓の汚れを落とすための洗浄水やエアーが噴射されるノズルなどが設けられている。
【００１９】
先端部１０ａの後方には、複数の湾曲駒を連結した湾曲部１０ｂが設けられている。湾曲部１０ｂは、操作部１１に設けられたアングルノブ１１ｂが操作されて、挿入部１０内に挿設されたワイヤが押し引きされることにより、上下左右方向に湾曲動作する。これにより、先端部１０ａが被検体内の所望の方向に向けられる。
【００２０】
湾曲部１０ｂの後方には、可撓性を有する軟性部１０ｃが設けられている。軟性部１０ｃは、先端部１０ａが被観察部位に到達可能なように、且つ操作者が操作部１１を把持して操作する際に支障を来さない程度に患者との距離を保つために、数ｍの長さを有する。
【００２１】
先端部１０ａと湾曲部１０ｂの間には、バルーン１４が取り付けられている。バルーン１４は、例えば、膨張収縮自在なラテックスゴムからなる。図２に示すように、バルーン１４の内腔には、挿入部１０の外周面に開口した給排気口２０を介して、給排気路２１が連通されている。給排気路２１は、挿入部１０の軸方向に亘って設けられ、操作部１１、コード１２内を通って、図１に示すバルーン制御装置１５に接続されている。バルーン制御装置１５には、給排気路２１を介してバルーン１４にエアーを供給する給気ポンプ１６と、バルーン１４内のエアーを吸引する吸引ポンプ１７とが設けられている。これらのポンプ１６、１７の動作をコントローラ１８で制御することにより、バルーン１４が膨張収縮される。
【００２２】
図３に示すように、バルーン１４の表面には、挿入部１０の周方向に関して等間隔に、四本の電気抵抗体２２が取り付けられている。電気抵抗体２２は、例えば、グラファイト、カーボンブラック、導電性ポリマーからなり、バルーン１４の表面に接合または塗布される。電気抵抗体２２の電気抵抗は、バルーン制御装置１５の抵抗測定器１９（図１参照）によって測定される。抵抗測定器１９は、電気抵抗の測定結果をコントローラ１８に出力する。
【００２３】
コントローラ１８は、抵抗測定器１９の測定結果を受けて、バルーン１４の膨張状態を把握し、把握したバルーン１４の膨張状態を元に管路３０（図４参照）の屈曲状態を検出する。
【００２４】
ここで、電気抵抗体２２の抵抗値は、バルーン１４が膨張すると長さが長くなって相対的に高くなり、収縮すると長さが短くなって相対的に低くなる。このため、四本の電気抵抗体２２の抵抗値を測定することで、バルーン１４がどの方向にどの程度膨張しているかが分かる。
【００２５】
したがって、四本の電気抵抗体２２の抵抗値が略同じであれば、バルーン１４が周方向に略一様に膨張しているので、バルーン１４が管路３０の内径よりも小さい状態であるか、または管路３０が略直線状であることが分かる。対して、四本の電気抵抗体２２の抵抗値のうち、ある方向の電気抵抗体２２の抵抗値が高く、ある方向と反対側の電気抵抗体２２の抵抗値が低い場合は、ある方向にバルーン１４が膨張して管路３０の内壁面３０ａ（図４参照）と接触しているので、管路３０が屈曲していることが分かり、また、屈曲している方向に空間が広がっているため、バルーン１４がより膨張している方向が、管路３０が屈曲している方向であることが分かる。このように、電気抵抗体２２の抵抗値からバルーン１４の膨張状態を把握し、バルーン１４が内壁面３０ａから受ける反力を求めることができる。
【００２６】
上記のように構成された電子内視鏡２で、例えば、大腸や小腸のように複雑に屈曲した管路３０の内壁面３０ａを観察する場合には、バルーン１４が収縮した状態で挿入部１０を被検体内に挿入し、光源装置を点灯して被検体内を照明しながら、撮像素子により得られる内視鏡画像をモニタで観察する。
【００２７】
先端部１０ａが管路３０に到達すると、給気ポンプ１６から給排気路２１を介してバルーン１４にエアーが供給される。これによりバルーン１４が膨張し始め、図４に示すように、管路３０の内壁面３０ａにバルーン１４の表面が接触する。
【００２８】
このとき、抵抗測定器１９で測定される電気抵抗体２２の抵抗値は、バルーン１４が周方向に略一様に膨張しているため、四本とも略同じ値となっており、バルーン１４の周面が各方向から受ける反力が等しいことが分かる。これにより、コントローラ１８では、管路３０が略直線状であることが検出される。
【００２９】
一方、図５に示すように、先端部１０ａの先が屈曲部３０ｂであった場合は、屈曲している方向に空間が広がっているので、屈曲している方向にバルーン１４が膨張する。このため、抵抗測定器１９で測定される電気抵抗体２２の抵抗値は、屈曲している方向の電気抵抗体２２のほうが高く、屈曲している方向の反対側の電気抵抗体２２のほうが低くなり、屈曲している方向からバルーン１４の周面が受ける反力が小さく、屈曲している方向の反対側から受ける反力が大きいことが分かる。これにより、コントローラ１８では、管路３０が屈曲していること、および屈曲している方向が検出される。
【００３０】
コントローラ１８による管路の屈曲状態の検出結果は、例えば、プロセッサ装置に出力され、内視鏡画像とともにモニタに表示される。操作者は、モニタに表示された検出結果に応じて、アングルノブ１１ｂを操作して湾曲部１０ｂを管路３０の屈曲している方向に湾曲させるなどして、挿入部１０を管路３０に沿って移動させる。
【００３１】
以上説明したように、バルーン１４に電気抵抗体２２を取り付け、抵抗測定器１９で電気抵抗体２２の抵抗値を測定するという簡単な構成で、バルーン１４が内壁面３０ａから受ける反力を検出し、管路３０の屈曲状態を検出することができる。これにより、挿入抵抗が大きい複雑に屈曲した管路３０を円滑に移動させることができる。したがって、手技に熟練度を必要とせず、また、挿入に手間取って患者に苦痛を与えたり、誤って管路を傷付けたりするおそれがない。
【００３２】
上記実施形態では、挿入部１０の周方向に関して等間隔に、バルーン１４の表面に電気抵抗体２２を取り付けているが、この代わりに、あるいはこれに加えて、図６に示すように、挿入部１０の周方向に沿って等間隔に取り付けてもよい。このようにすれば、挿入部１０の軸方向に関するバルーン１４の膨張状態を把握することができる。
【００３３】
なお、バルーン１４の内圧を測定するための圧力センサを設け、この圧力センサによるバルーン１４の内圧と電気抵抗体２２の抵抗値とから、バルーン１４の膨張状態を把握し、把握した膨張状態とバルーン１４の内圧との相関関係から、バルーン１４が内壁面３０ａから受ける反力を求めてもよい。すなわち、バルーン１４の内圧と電気抵抗体２２の抵抗値との関係を予め実験などにより求めておき、求めたデータを参照して反力を求める。例えば、バルーン１４の内圧がある値のときの電気抵抗体２２の抵抗値が、予め求めたデータよりも大きい場合は、バルーン１４が膨張しているため反力が小さいことが分かる。
【００３４】
あるいは、バルーン１４内部に供給したエアーの流量を測定するための流量センサを設け、この流量センサによるエアーの流量と電気抵抗体２２の抵抗値とから、バルーン１４の膨張状態を把握し、把握した膨張状態とエアーの流量との相関関係から、バルーン１４が内壁面３０ａから受ける反力を求めてもよい。この場合も同様に、エアーの流量と電気抵抗体２２の抵抗値との関係を予め実験などにより求めておき、求めたデータを参照して反力を求める。
【００３５】
上記の場合、バルーン１４が内壁面３０ａから受ける反力が正常な値であるか否かを検出することができる。すなわち、バルーン１４の内圧、またはエアーの流量がある値のときの電気抵抗体２２の抵抗値と、予め設定された閾値とを比較する。そして、抵抗値が閾値以下であるときに、バルーン１４の内圧、またはエアーの流量に比してバルーン１４の膨張量が正常な値よりも小さく、バルーン１４が内壁面３０ａから過大な反力を受けていると判断する。このようにすれば、バルーン１４が内壁面３０ａから過大な反力を受けていると判断した場合に、モニタに警告メッセージを表示して操作者に注意を促したり、バルーン１４を自動的に収縮させて反力を小さくしたりするなど、患者への負担を和らげる適切な処置を施すことができ、複雑に屈曲した管路３０内を、内壁面３０ａに過大な力を与えることなく移動させることができる。
【００３６】
なお、管路３０の屈曲状態を検出する手段としては、上記実施形態の電気抵抗体２２および抵抗測定器１９に限らず、図７および図８に示す系を採用してもよい。すなわち、図７において、挿入部１０の周方向に関して四等分した位置に四個のバルーン４０を取り付け、それぞれのバルーン４０の内圧を測定するための圧力センサ４１を、バルーン４０の内腔に配設する。
【００３７】
また、図８に示すように、マイクロポンプ４２、４３を用いて、バルーン４０へのエアーの供給、およびバルーン４０内のエアーの排気を行う。マイクロポンプ４２は、給気路４４と、挿入部１０の外周面に開口し、バルーン４０の内腔に繋がる給気口４５とを繋ぐ給気路４６を開閉する弁４７、および弁４７を開閉動作させるための圧電素子４８からなる。また、マイクロポンプ４３は、挿入部１０の外周面に開口し、バルーン４０の内腔に繋がる排気口４９と、挿入部１０の外周面に開口し、外部に繋がる外部排気口５０とを繋ぐ排気路５１を開閉する弁５２、および弁５２を開閉動作させるための圧電素子５３からなる。なお、これらの部品は、一個のバルーン４０に対して一組ずつ設けられている。
【００３８】
バルーン４０を膨張させる際には、マイクロポンプ４３の運転を停止した状態でマイクロポンプ４２の弁４７を開き、給気路４４、４６、および給気口４５を介してバルーン４０にエアーを供給する。逆に、バルーン４０を収縮させる際には、マイクロポンプ４２の駆動を停止してエアーの供給を停止させた後、マイクロポンプ４３を駆動して、排気口４９、排気路５１、および外部排気口５０を介して外部にエアーを排気する。このようにすれば、給気路４４が一本だけで済み、挿入部１０が太くなることが防がれる。また、マイクロポンプ４２、４３の動作を制御することにより、管路の屈曲状態に応じて、バルーン１４の膨張状態を変化させて、先端部１０ａの姿勢を調整することができる。なお、マイクロポンプ４２、４３は、外部から流体を供給する管とマイクロバルブとで構成してもよい。
【００３９】
図７、図８に示す系で管路３０の屈曲状態を検出する際には、まず、マイクロポンプ４２を駆動して、各々のバルーン１４に一定量のエアーを供給して膨張させた後、駆動を停止させる。そして、この状態で圧力センサ４１により各々のバルーン４０の内圧を測定する。
【００４０】
このとき、圧力センサ４１の測定結果が四個とも略同じ値であった場合は、各々のバルーン４０が周方向に略一様に膨張しているので、バルーン４０が管路３０の内径よりも小さい状態であるか、または管路３０が略直線状であることが検出される。一方、四個の圧力センサ４１の測定値のうち、ある方向の圧力センサ４１の測定値が低く、ある方向と反対側の圧力センサ４１の測定値が高い場合は、ある方向にバルーン４０が膨張しているので、バルーン４０の周面がその方向から受ける反力が小さく、管路３０が屈曲していることが検出され、また、バルーン４０がより膨張している方向が、管路３０が屈曲している方向であることが検出される。
【００４１】
このように、各々のバルーン４０に一定のエアーを供給したときの各々のバルーン４０の内圧から、各々のバルーン４０の膨張状態を把握し、バルーン１４が内壁面３０ａから受ける反力を求めることができる。以下、上記実施形態と同様に、管路３０の屈曲状態の検出結果をモニタに表示し、操作者がこれを参考にして挿入部１０を管路３０に沿って移動させる。なお、この場合、管路３０の屈曲状態の検出結果に基づいて、各々のバルーン４０を膨張収縮させることで、先端部１０ａを管路３０の屈曲方向に向けることも可能である。
【００４２】
なお、バルーンとしては、上記実施形態のように一様に膨張するバルーン１４、４０に限らず、挿入部１０の進行方向（挿入部１０の基端部分から先端部１０ａに向かう方向）の後方に内壁面３０ａを押しやるように膨張する構成や、進行方向に膨張し、内壁面３０ａと接触してさらに膨張した際に、内壁面３０ａから進行方向に駆動力を受けるような構成としてもよく、例えば、図９および図１０に示すように、挿入部１０の周方向に関して１８０°隔てた位置にそれぞれ配され、挿入部１０の進行方向の後方の部分６０ａ（斜線で示す。以下、単に後方部分という。）、および円周方向の部分６０ｂ（斜線で示す。以下、単に円周部分という。）が、他の部分よりも膨張率が小さくなるように形成された二個のバルーン６０を用いてもよい。
【００４３】
給排気路６１、給排気口６２を介してエアーが供給されると、バルーン６０は、図１１に示すように、後方部分６０ａおよび円周部分６０ｂが他の部分よりも膨張率が小さく形成されていることにより、後方部分６０ａおよび円周部分６０ｂよりも他の部分のほうが伸びて、点線で示すように進行方向の後方に向かって略扇形状に膨張する。これにより、管路３０の内壁面３０ａに接触したバルーン６０の表面が、内壁面３０ａに接触しながら進行方向の後方に内壁面３０ａを介して駆動力を発生させることによって挿入部１０が進行方向に移動される。
【００４４】
上記のようなバルーン６０を用いれば、図１２に示すように、先端部１０ａが管路３０の屈曲部３０ｂに到達したことを検出した場合に、屈曲部３０ｂの外側のバルーン６０を内側のバルーン６０よりも膨張させるようにすれば、操作者の手を煩わせずに先端部１０ａの向きを自動的に屈曲部３０ｂの屈曲方向に向けることができ、挿入部１０の移動をより円滑にすることができる。
【００４５】
なお、バルーンが膨張する際に、内壁面３０ａから駆動力を得る構成の好ましい形態として、バルーンを作製する際に、後方部分が他の部分よりも膨張率が低くなるような補強を施してもよい。
【００４６】
あるいは、バルーンの材料よりも低い膨張率を有する低膨張率材（例えば、ＰＥＴ繊維やアラミド繊維）を表面に接合、あるいは埋め込み、若しくは一体成形し、進行方向の後方に向かって略扇形状に膨張するように、部分的に膨張率を異ならせてもよい。
【００４７】
さらに、上記低膨張率材の代わりに、伸縮性のアクチュエータ、例えばコイル状に形成した形状記憶合金のワイヤを後方部分の表面に接合してもよい。バルーンが膨張したときにワイヤを伸縮させることにより、バルーンの膨張形態を変化させることができ、図９〜図１２に示す例と同様に、管路３０の形状に対して、膨張時の内壁面３０ａから受ける駆動力を変化させることができる。
【００４８】
上記実施形態では、電子内視鏡２の挿入部１０に直接バルーンを取り付けた例を挙げて説明したが、本発明はこれに限定されず、図１３に示す内視鏡用移動装置７０に適用することも可能である。内視鏡用移動装置７０は、挿入部１０が挿入固定される筒体７１と、筒体７１の先端に取り付けられたバルーン１４と、筒体７１から延びたコード７２が接続される、バルーン制御装置１５と同様の構成を有するバルーン制御装置７３とから構成される。挿入部１０を被検体内に挿入する際には、筒体７１を挿入部１０に挿入して固定し、バルーン制御装置７３で上記実施形態と同様の制御を行って挿入部１０を移動させる。
【００４９】
なお、バルーンの個数や配置は上記実施形態に限定されるものではなく、例えば、挿入部１０の周方向に関して複数取り付けてもよいし、挿入部１０の軸方向に複数取り付けてもよい。
【００５０】
上記実施形態では、管内移動体として電子内視鏡２および内視鏡用移動装置７０を例示して説明したが、超音波トランスデューサが先端部に配された超音波プローブや、超音波トランスデューサおよび撮像素子が先端部に一体的に配された超音波内視鏡などの他、工業用配管内を検査するための検査スコープについても、本発明を適用することができる。
【図面の簡単な説明】
【００５１】
【図１】電子内視鏡の構成を示す概略図である。
【図２】バルーン周辺の拡大断面図である。
【図３】電気抵抗体の配置を説明するための図である。
【図４】略直線状の管路内におけるバルーンの膨張の様子を示す図である。
【図５】屈曲している管路内におけるバルーンの膨張の様子を示す図である。
【図６】電気抵抗体の配置の別の例を示す図である。
【図７】管路の屈曲状態を検出する別の実施形態を示す図である。
【図８】管路の屈曲状態を検出する別の実施形態を示す図である。
【図９】バルーンの別の実施形態を示す図である。
【図１０】バルーンの別の実施形態を示す拡大図である。
【図１１】図９および図１０に示すバルーンの膨張の様子を説明するための図である。
【図１２】図９〜図１１に示す実施形態で管路の屈曲部におけるバルーンの膨張の様子を説明するための図である。
【図１３】内視鏡用移動装置の構成を示す概略図である。
【符号の説明】
【００５２】
２  電子内視鏡
１０  挿入部
１０ａ  先端部
１４、４０、６０  バルーン
１５、７３  バルーン制御装置
１９  抵抗測定器
２２  電気抵抗体
３０  管路
３０ａ  内壁面
３０ｂ  屈曲部
４１  圧力センサ
４２、４３  マイクロポンプ
７０  内視鏡用移動装置
７１  筒体
【図１】
2008043670.tif 000003
【図２】
2008043670.tif 000004
【図３】
2008043670.tif 000005
【図４】
2008043670.tif 000006
【図５】
2008043670.tif 000007
【図６】
2008043670.tif 000008
【図７】
2008043670.tif 000009
【図８】
2008043670.tif 000010
【図９】
2008043670.tif 000011
【図１０】
2008043670.tif 000012
【図１１】
2008043670.tif 000013
【図１２】
2008043670.tif 000014
【図１３】
2008043670.tif 000015